(57)【要約】【課題】安定した搬送性能を維持し、営業を停止しない紙葉類搬送システムを提供する。【解決手段】空気流により紙葉類を搬送するシステム１であって、管内の空気流を案内するとともに紙葉類２を搬送する送風管１０と、送風管１０内へ紙葉類２を送り込む送り込み装置２０と、送風管１０内に空気流を生じさせる空気流発生装置３０と、送風管１０の終端部に設けられて紙葉類２を回収する回収装置４０と、前記装置類を制御する制御部１００とを具備する紙葉類搬送システム１において、送り込み装置２０が紙葉類２の送り込み完了あるいは送り込み待機を制御部１００へ通知した事に基づき、制御部１００は空気流発生装置３０による送風管１０内の風速を変化するよう制御することを特徴とする。【選択図】図４
2020100452.tif 000002
【特許請求の範囲】
【請求項１】
空気流により紙葉類を搬送するシステムであって、管内の空気流を案内するとともに紙葉類を搬送する送風管と、該送風管内へ紙葉類を送り込む送り込み装置と、該送風管内に前記空気流を生じさせる空気流発生装置と、前記送風管の終端部に設けられて紙葉類を回収する回収装置と、前記装置類を制御する制御部とを具備する紙葉類搬送システムにおいて、
前記送り込み装置が紙葉類の送り込み完了あるいは送り込み待機を前記制御部へ通知した事に基づき、前記制御部は前記空気流発生装置による前記送風管内の風速を変化するよう制御することを特徴とする紙葉類搬送システム。
【請求項２】
前記送り込み装置が紙葉類の送り込み完了を前記制御部へ通知した事に基づき、前記制御部が前記空気流発生装置を制御して、前記送風管内の風速を速くするように制御することを特徴とする請求項１記載の紙葉類搬送システム。
【請求項３】
前記送り込み装置が紙葉類の送り込み待機を前記制御部へ通知した事に基づき、前記制御部が前記空気流発生装置を制御して、前記送風管内の風速を速くするように制御することを特徴とする請求項１記載の紙葉類搬送システム。
【請求項４】
前記送風管または前記回収装置に検知部を設け、紙葉類を前記検知部が検知し、前記制御部へ通知した事に基づき、前記制御部は前記空気流発生装置による前記送風管内の風速を速くあるいは遅くするよう制御することを特徴とする請求項１〜３いずれか１項記載の紙葉類搬送システム。
【請求項５】
前記制御部は、前記送り込み装置が通知する紙葉類の送り込み完了の情報と前記送風管または前記回収装置に設けた前記検知部が検知した情報の差分を算出し、その結果に基づき、前記空気流発生装置を制御して、前記送風管内の風速を速くあるいは遅くするよう制御することを特徴とする請求項４記載の紙葉類搬送システム。
【請求項６】
前記制御部は、前記送り込み装置が通知する紙葉類の送り込み待機の情報と前記送風管または前記回収装置に設けた前記検知部が検知した情報の差分を算出し、その結果に基づき、前記空気流発生装置を制御して、前記送風管内の風速を速くあるいは遅くするよう制御することを特徴とする請求項４記載の紙葉類搬送システム。
【発明の詳細な説明】
【技術分野】
【０００１】
本発明は、紙葉類を空気流で搬送する紙葉類の搬送システムに関する。
【背景技術】
【０００２】
空気流による紙葉類が搬送されるシステムが提供されており、遊技場などで使用されている。この空気流による紙葉類搬送システムは、ベルトやローラを用いた搬送装置に比べ小型化を図ることができ、またベルトやローラなどの消耗品が不要になるのでランニングコストを抑えて運用できる。
【０００３】
また、空気流による紙葉類搬送システムはベルトやローラ式に比べ搬送レイアウトが自由であり、紙葉類の同室内別箇所への搬送は元より、別室間や別階層間など、より自由度が高く遠距離の搬送も可能となる。例えば遊技場ホールのパチンコ島にある送り込み装置から送風管内に送り込まれた紙葉類が空気流によって別室である金庫室に運ばれ、そこで回収、集金も可能となる（例えば特許文献１：特許第４４０９６２６）。
【先行技術文献】
【特許文献】
【０００４】
【特許文献１】特許第４４０９６２６号
【発明の概要】
【発明が解決しようとする課題】
【０００５】
しかしながら、特許文献１記載のシステムであっても、送風管内を複数の紙葉類が搬送中、もしくは送り込み装置に紙葉類が保持され、その一部が送風管内に吐出している待機中の場合にあっては、搬送性能が安定せず、紙葉類の滞留や詰まりが発生する可能性がある。
【課題を解決するための手段】
【０００６】
本発明は、送風管内を複数の紙葉類が搬送中または送風管内に紙葉類の一部が吐出している待機中であっても、安定した搬送性能を維持し、営業を停止しない紙葉類搬送システムを提供する。
【０００７】
本発明に係る紙葉類搬送システムは、空気流により紙葉類を搬送するシステムであって、管内の空気流を案内するとともに紙葉類を搬送する送風管と、該送風管内へ紙葉類を送り込む送り込み装置と、該送風管内に前記空気流を生じさせる空気流発生装置と、前記送風管の終端部に設けられて紙葉類を回収する回収装置と、前記装置類を制御する制御部とを具備する紙葉類搬送システムにおいて、前記送り込み装置が紙葉類の送り込み完了あるいは送り込み待機を前記制御部へ通知した事に基づき、前記制御部は前記空気流発生装置による前記送風管内の風速を変化するよう制御することを特徴とする。
【０００８】
前記送り込み装置が紙葉類の送り込み完了を前記制御部へ通知した事に基づき、前記制御部が前記空気流発生装置を制御して、前記送風管内の風速を速くするように制御することができる。
また、前記送り込み装置が紙葉類の送り込み待機を前記制御部へ通知した事に基づき、前記制御部が前記空気流発生装置を制御して、前記送風管内の風速を速くするように制御することができる。
【０００９】
前記送風管または前記回収装置に検知部を設け、紙葉類を前記検知部が検知し、前記制御部へ通知した事に基づき、前記制御部は前記空気流発生装置による前記送風管内の風速を速くあるいは遅くするよう制御することができる。
【００１０】
前記制御部は、前記送り込み装置が通知する紙葉類の送り込み完了の情報と前記送風管または前記回収装置に設けた前記検知部が検知した情報の差分を算出し、その結果に基づき、前記空気流発生装置を制御して、前記送風管内の風速を速くあるいは遅くするよう制御することができる。
【００１１】
前記制御部は、前記送り込み装置が通知する紙葉類の送り込み待機の情報と前記送風管または前記回収装置に設けた前記検知部が検知した情報の差分を算出し、その結果に基づき、前記空気流発生装置を制御して、前記送風管内の風速を速くあるいは遅くするよう制御することができる。
【発明の効果】
【００１２】
本発明によれば、送風管内を複数の紙葉類が搬送中または送風管内に紙葉類の一部が吐出している待機中であっても、安定した搬送性能を維持し、営業を停止しない紙葉類搬送システムを提供できる。
【図面の簡単な説明】
【００１３】
【図１】紙葉類搬送システムの構成を示す模式図である。
【図２】回収装置の説明図である。
【図３】紙葉類搬送システムの配線系統を示す説明図である。
【図４】制御部における制御例の第１の実施の形態を示すフローチャートである。
【図５】制御部における制御例の第２の実施の形態を示すフローチャートである。
【図６】制御部における制御例の第３の実施の形態を示すフローチャートである。
【図７】制御部における制御例の第４の実施の形態を示すフローチャートである。
【図８】制御部における制御例の第５の実施の形態を示すフローチャートである。
【図９】制御部における制御例の第６の実施の形態を示すフローチャートである。
【発明を実施するための形態】
【００１４】
以下、本発明の実施形態を図面に基づいて詳細に説明する。なお、実施形態を説明するための全図において、同一の機能を有する部材には同一の符号を付し、その繰り返しの説明は省略する場合がある。
【００１５】
まず、本実施形態における紙葉類搬送システム１の全体構成について図１、図２を参照して説明する。なお、この紙葉類搬送システム１については、前記特許文献１等における本発明者が提案した技術も参照することができる。
なお、以下では紙葉類として紙幣を例として説明する。
【００１６】
図１に示すように、紙葉類搬送システム１では、例えばブロワー等の空気流発生装置３０で発生した空気流が、送出管３１、連結管３２、送風管１０、回収装置４０、戻り管３３を介して循環するように構成されている。この循環路を構成するために送風管１０にはＵ字状に曲げられた屈曲管１０ａが形成されている。また、送風管１０の適所では、送風管１０内へ紙幣２を送り込む送り込み装置２０が複数設置されている。空気流発生装置３０、送出管３１、連結管３２、戻り管３３および回収装置４０は、例えば筐体４９内に設置され、送風管１０および送り込み装置２０は、筐体４９外に設置されている。
【００１７】
送り込み装置２０は、送り込み手前側に設置される紙幣識別装置２１と、奥側に設置され、送風管１０と連結された曲げ装置２２とを有している。送り込み装置２０を構成する曲げ装置２２は、紙幣２の搬送方向先端部の平面部２ａに対して、搬送方向後端部にジグザグ状の変形部２ｂ（屈曲部となっている）を形成するものである。この変形部２ｂに、送風管１０内を流れる空気流（図１中、矢印で示す）からの風圧が作用し、紙幣２は送風管１０内で搬送される。
【００１８】
また、回収装置４０は、送風管１０の終端部側から搬送順に設置された分離部５０、矯正部７０、および収納部９０を含んで構成される。このうち、分離部５０は、送風管１０内を搬送されてきた紙幣２と、紙幣２に推進力を与えてきた空気流とを分離し、矯正部７０へ紙幣２を送り出すものである。また、矯正部７０は、分離部５０から送り出されてきた紙幣２の変形部２ｂを矯正するものである。また、収納部９０は、分離部５０によって空気流と分離された紙幣２を、矯正部７０を介して変形部２ｂの変形を矯正して伸びた状態（平坦となった状態）で収納するものである。
【００１９】
図１は、遊技場ホール内での１列のパチンコ島（パチンコ台が背中合わせに複数台列置された島状の箇所）での紙葉類搬送システム１について説明した。
しかしながら、このように同一室内で紙幣２を回収装置（金庫）４０で回収するシステムでなく、回収装置４０を別室に配置し（図示せず）、送風管１０を壁面や天井裏に沿って這わせて設け、別室に設けた回収装置４０にまで導いて回収するシステムであってもよい。
【００２０】
図２に回収装置４０の具体例を示す。回収装置４０は、特許文献１に示されるような公知の回収装置を用いることができる。
以下簡単に説明する。
分離部５０において、空気流と紙幣２が分離され、空気流は排気管（図示せず）から外部に排出される。紙幣２は、分離部５０の下流に配設された搬送ベルト５１によって案内、搬送され、ローラ５４により矯正部７０に送り込まれる。矯正部７０は、ジグザグ状に配置された矯正ローラ７２を有し、紙幣２はこの矯正ローラ７２を通過することによって、曲げ（変形）が矯正され、平坦状の紙幣２となって、公知の機構により収納部９０に順次積層して収納されるようになっている。
【００２１】
なお、６０は搬送ベルト５１、ローラ５４を駆動するモータである。
収納部９０は、モータ９８によって上下動されるプレス板９６と、スプリング９２によって上方に付勢される受板９４を有する。
回収装置４０の部位には、回収装置４０内に搬送されてきた紙幣２を検知する紙葉類検知部を設置されている。例えば、紙葉類検知部は、分離部５０で空気流と分離される前の、紙幣２を検知する入口センサ４３（検知部）と、矯正部７０と収納部９０との間に設けられ、紙幣２を検知する終端センサ４４などを有している。
【００２２】
このように、紙葉類搬送システム１は、空気流によって紙葉類が搬送される送風管１０と、紙幣２の後端部に変形部２ｂを形成して送風管１０内へ紙幣２を送り込む送り込み装置２０と、紙幣２の変形部２ｂに風圧を作用させて紙幣２を送風管１０内に空気流を生じさせる空気流発生装置３０と、送風管１０の終端部に設置され、送風管１０内を搬送されてくる紙幣２を回収する回収装置４０とを備えている。さらに、紙葉類搬送システム１は、空気流発生装置３０、送り込み装置２０および回収装置４０などの装置を制御する制御部１００を備えている（図３参照）。このような紙葉類搬送システム１では、紙幣２が投入される送り込み装置２０から送風管１０、分離部５０、矯正部７０、収納部９０の順で搬送路が構成され、紙幣２がこの搬送路で搬送される。
【００２３】
制御部１００は、図３に示すように、ループ通信線２５を介して送り込み装置２０と、通信線１０１を介して紙葉類搬送システム１の各種状態を表示する表示装置１０３と、通信線１０２を介して回収装置４０と電気的に接続されている。このように、紙葉類搬送システム１では制御部１００を中心に、送り込み装置２０などの装置が、紙葉類検知部などを含む配線系統内に構築されている。制御部１００は、配線系統を介して送り込み装置２０などの装置を制御する制御機能を有している。なお、本願では紙葉類検知部がＯＮ状態とは、紙幣２が検知されている状態をいい、ＯＦＦ状態とはその逆の状態をいう。
【００２４】
送り込み装置２０の制御部２３には、送り込み装置２０に紙幣２が投入されたことを検知する入口センサ２６と、送り込み装置２０が接続された送風管１０の部位で、送風管１０内に送り込まれた紙幣２を検知し、また紙幣２の滞留状態を検知する出口センサ（検知部）２７と、曲げ装置２２の送り込みモータ２８と、紙幣識別装置２１の制御部２９とが電気的に接続されている。また、表示装置１０３は、正常稼働状態や紙幣２の詰まりが検出されたときなどのエラー状態のときに点灯する表示灯（例えばＬＥＤ）や警告する警報器、表示装置用リセットボタン、表示装置用電源スイッチなどを有している。
【００２５】
制御部１００は、さらに次の基本機能（基本形態）を有している。
すなわち、送り込み装置２０における出口センサ２７により紙幣２が送風管１０内に送り込まれたことが検知された際（センサがＯＮからＯＦＦ）に、カウンタに１を加算するカウンタ加算機能と、
回収装置４０における終端センサ４４により、紙幣２が収納部９０に送り込まれ、回収されたことが検知された際（センサがＯＮからＯＦＦ）に、カウンタに１を減算する機能と、
カウンタの値が規定値（Ｋ）を超えたときに、送風管１０内への紙幣２の放出（送り込み）を禁止する放出禁止機能と、
カウンタの値が規定値（Ｋ）を超えないときに、送風管１０内に紙幣２の放出を許可する放出許可機能を有する。
【００２６】
また、制御部１００は、カウンタの値が規定値（Ｋ）を超えたときに、表示装置１０３に表示して警告をし、場合によって、装置の一部または全部を停止するようにしてもよい。
上記のように、制御部１００は、紙幣２が、常に送風管１０内に規定枚数以内の枚数だけ存在するように制御している。これにより、紙幣２を安定した搬送力で送風管１０内を搬送できるようにしている。
上記一連の制御は、前記特許文献１に詳述している機能をそのまま採用できる。
なお、本実施の形態では、カウンタの値が規定値（Ｋ）を超え、送り込み装置２０から送風管１０内への紙幣２の放出を禁止され、待機状態となっている紙幣２の数を待機カウンタによりカウントするようになっている。
【００２７】
図４は、制御部１００における制御例の第１の実施の形態を示すフローチャートである。
紙葉類搬送システム１のメインスイッチ（図示せず）が投入されると、空気流発生装置３０が所要の出力（Ｆ）で駆動される待機状態（ステップＳ１０）となる。
送り込み装置２０において、出口センサ２７により送風管１０内への紙幣２の送り込み完了が制御部１００に通知されると（ステップＳ１２）、制御部１００は、空気流発生装置３０の出力をＦから設定値αだけ増加した出力Ｆ＋αとし、これにより送風管１０内の風速を速くするように制御する（ステップＳ１４）。送風管１０内に紙幣２が放出されると、搬送負荷が大きくなり、それだけ風速が低下するので、空気流発生装置３０の出力を大きくし、風速を補填するのである。
【００２８】
出力の増加分αは、あらかじめ試験的に求めておき、制御部１００に入力されている。設定値αは一定値であってもよいし、放出（送り込み）枚数に応じて増加させてもよい。
なお、送風管１０内に放出された紙幣２が回収装置４０で回収されたことが終端センサ４４で検知された際には、出力を減じ、搬送紙幣２がゼロになった際には、待機出力Ｆに戻す。
【００２９】
本実施の形態は、制御部１００における上記基本機能に加えて行ってもよい。すなわち、送風管１０内に存在する紙幣２の枚数が規定値（Ｋ）内であっても、紙幣２の放出、回収があれば、空気流発生装置３０の出力を増減するのである。
これによりさらにきめ細かな制御ができ、紙幣２の搬送機能の安定化が図れる。
あるいは、上記基本機能と無関係に本実施の形態を採用してもよい。すなわち、単に、紙幣２が送風管１０内に放出された場合、および紙幣２が回収されたことに応じて、空気流発生装置３０の出力を増減させ、送風管１０内の風速を変化させるのであってもよい。
【００３０】
図５は、制御部１００における上記基本機能に加えて、さらなる制御を付加した制御例の第２の実施の形態を示すフローチャートである。
本実施の形態は、送り込み装置２０において、出口センサ（検知部）２７がＯＮ状態、すなわち、送風管１０内に規定枚数（Ｋ）の紙幣２が放出され、それ以上の紙幣２が送風管１０内への放出が禁止されている待機状態にある場合の、空気流発生装置３０の制御についての実施の形態である。
【００３１】
紙幣２が上記待機状態にある場合、紙幣２は送り込み装置２０において、送り込みローラ（図示せず）に一端が挟まれ、保持された状態にあり、この場合、紙幣２は他端側が一部送風管１０内に吐出された状態にある。したがって紙幣２がこのような待機状態にある場合にも、送風抵抗となり、送風管１０内での紙幣２の搬送機能が低下する。
そこで、本実施の形態では、送り込み装置２０において、出口センサ２７により送風管１０内への紙幣２の送り込み禁止（待機状態）が制御部１００に通知されると（ステップＳ１６）、制御部１００は、空気流発生装置３０の出力をＦから設定値αだけ増加した出力Ｆ＋αとし、これにより送風管１０内の風速を速くするように制御する（ステップＳ１８）のである。
【００３２】
本実施の形態でも、設定値αは一定値であってもよいし、待機状態の紙幣２の枚数に応じて増加させてもよい。
なお、待機状態の紙幣２がゼロになった際には、空気流発生装置３０の出力は待機出力Ｆに戻される。
第１の実施の形態と第２の実施の形態とを併せて実施してもよい。
【００３３】
図６は第３の実施の形態を示すフローチャートである。
上記のように、回収装置４０は、搬送ベルト５１、ローラ５４、矯正ローラ７２等の、ベルトやローラからなる搬送メカニズムとなっていることから、送風管１０内における紙幣２の搬送速度と、回収装置４０内での紙幣２の搬送速度に大きな差異が生じ、紙幣２が送風管１０内での搬送速度のまま回収装置４０内に進入すると、紙幣２がつぶれ、詰まりの原因となっていた。特に、図２に示すように、回収装置４０の直前の送風管１０が垂直下降管となっている場合には、上記速度差が大きくなり、紙幣２のつぶれ現象が発生し、詰まり現象が生じやすかった。また、第１の実施の形態および第２の実施の形態において、空気流発生装置３０の出力を大きくして、送風管１０内の風速を速くすると、上記速度差が大きくなり、回収装置４０内での紙幣２の詰まり現象が生じやすくなる。
【００３４】
そこで本実施の形態では、回収装置４０手前の送風管１０に備えられた入口センサ（検知部：図示せず）で紙幣２の通過が確認される（ステップＳ２０）と、検知信号が制御部１００に入力され、制御部１００では、予め設定されている出力の減少分βだけ、空気流発生装置３０の出力を低下させ、Ｆ−βの出力にて空気流発生装置３０を駆動する（ステップＳ２２）。これにより、回収装置４０へ送り込まれる紙幣２の速度が所要速度に低下し、回収装置４０内での紙幣２の詰まり現象を抑制できる。紙幣２が終端センサ４４により収納部９０に回収されたことが検知されると、空気流発生装置３０の出力は待機出力Ｆに戻される。
出力の減少分βは、あらかじめ試験的に求めておき、制御部１００に入力されている。
【００３５】
図７は第４の実施の形態を示すフローチャートである。
回収装置４０の直前の送風管１０が、垂直上昇管となっている場合（図示せず）には、第１の実施の形態や第２の実施の形態のように、送風管１０内の風速を速くした場合にあっても、回収装置４０内での紙幣２の搬送速度が小さくなりすぎ、この場合も紙幣２の詰まり現象の一因となる。
【００３６】
そこで本実施の形態では、回収装置４０手前の送風管１０に備えられた入口センサ（検知部：図示せず）で紙幣２の通過が確認される（ステップＳ２４）と、検知信号が制御部１００に入力され、制御部１００では、予め設定されている出力の増加分αだけ、空気流発生装置３０の出力を増加させ、Ｆ＋αの出力にて空気流発生装置３０を駆動する（ステップＳ２６）。これにより、回収装置４０へ送り込まれる紙幣２の速度が所要速度まで上昇し、回収装置４０内での紙幣２の詰まり現象を抑制できる。出力の増加分αは、第３の実施の形態と同様にしてあらかじめ試験的に求めておくとよい。紙幣２が終端センサ４４により収納部９０に回収されたことが検知されると、空気流発生装置３０の出力は待機出力Ｆに戻される。
【００３７】
図８は第５の実施の形態を示すフローチャートである。
本実施の形態では、新たに紙幣２が送風管１０内に送り出された際、送風管１０への紙幣２の送り込み枚数と回収装置４０での紙幣２の回収枚数の差分を算出して、実際に送風管１０内での紙幣２の搬送枚数により空気流発生装置３０の出力を制御するものである。
【００３８】
すなわち、ステップＳ３０にて、紙幣２が送り込み装置２０による送風管１０内へ送り込みが完了したことが出口センサ（検知部）２７により検知されると、制御部１００では、それまでの紙幣２の送風管１０内への積算送り込み枚数Ａ（新たに検知された紙幣２の分が＋１とされる）と、それまでの回収装置４０で回収された紙幣２の積算回収枚数Ｂ（新たに紙幣２が回収された場合には＋１とされる）との差分を算出し、送風管１０内で搬送中の紙幣２の枚数Ｃを算出する（ステップＳ３２）。
【００３９】
そして、ステップＳ３４により搬送中の紙幣２の枚数Ｃが規定枚数Ｋよりも多いと判定されると、制御部１００は、空気流発生装置３０の出力をＦから設定値αだけ増加した出力Ｆ＋αとし、これにより送風管１０内の風速を速くするように制御する（ステップＳ３６）のである。
設定値αは一定値であってもよいし、規定枚数Ｋよりも多い紙幣２の枚数に応じて増加させてもよい。
【００４０】
ステップＳ３４で、送風管１０内で搬送中の紙幣２の枚数Ｃが規定枚数Ｋ以下である場合には、空気流発生装置３０の出力はＦのまま（ステップＳ３８）で、送風管１０内で搬送中の紙幣２の枚数Ｃがゼロになれば（ステップＳ４０）、空気流発生装置３０の出力を待機状態の出力（ステップＳ４２）とし、回収装置４０での紙幣２の回収は終了する。
【００４１】
本実施の形態では、規定枚数Ｋ以上の紙幣２の送風管１０内への送り込みを禁じる前記基本機能（基本形態）の場合であっても、誤って規定枚数Ｋ以上の紙幣２が送風管１０内に送り込まれる場合があるので、その場合に有効である。
あるいは本実施の形態では、前記基本機能でなく、送風管１０内への紙幣２の送り込み枚数を特に制限しない実施の形態の場合に特に有効である。
【００４２】
図９は、第６の実施の形態を示すフローチャートである。
本実施の形態は、規定枚数Ｋ以上の紙幣２の送風管１０内への送り込みを禁じる前記基本機能（基本形態）の場合であって、送り込み装置２０で待機状態にある紙幣２の枚数と回収装置４０での紙幣２の回収完了した枚数との差分により空気流発生装置３０の出力を制御するものである。
【００４３】
すなわち、ステップＳ４４にて、新たに送り込み装置２０において待機状態となった紙幣２が出口センサ（検知部）２７により検知されると、制御部１００では、紙幣２の待機枚数Ａ（新たに待機紙幣２が検知されると＋１とされる）と、新たに回収装置４０で回収された紙幣２の回収枚数Ｂとの差分を算出する（ステップＳ４６）。前記基本機能において、待機状態の紙幣２が存在する場合、回収装置４０で新たに紙幣２が回収されると、待機状態にある紙幣２がその都度送風管１０内に送り出されるので、上記Ａ−Ｂの差分を算出し、実際に待機状態にある紙幣２の枚数を算出するのである。
【００４４】
そして、ステップＳ４８により待機中の紙幣２の枚数Ｃが規定枚数Ｋよりも多いと判定されると、制御部１００は、空気流発生装置３０の出力をＦから設定値αだけ増加した出力Ｆ＋αとし、これにより送風管１０内の風速を速くするように制御する（ステップＳ５０）のである。紙幣２が待機状態にあるときにも送風管１０内での空気流の抵抗となるので、空気流発生装置３０の出力を増加し、これにより安定して紙幣２を搬送できる。
設定値αは一定値であってもよいし、規定枚数Ｋよりも多い紙幣２の枚数に応じて増加させてもよい。
【００４５】
ステップＳ４８で、待機状態中の紙幣２の枚数Ｃが規定枚数Ｋ以下である場合には、空気流発生装置３０の出力はＦのまま（ステップＳ５２）で、待機状態中の紙幣２の枚数Ｃがゼロになれば（ステップＳ５４）、空気流発生装置３０の出力を待機状態の出力（ステップＳ５６）とし、空気流発生装置３０の制御は終了する。
【符号の説明】
【００４６】
１  紙葉類搬送システム
２  紙幣（紙葉類）
２ａ  平面部
２ｂ  変形部
１０  送風管
１０ａ  曲折部
２０  送り込み装置
２１  紙幣識別装置
２２  曲げ装置
２３  制御部
２５  ループ通信線
２６  入口センサ
２７  出口センサ（検知部）
２８  送り込みモータ
２９  制御部
３０  空気流発生装置
３１  送出管
３２  連結管
３３  戻り管
４０  回収装置
４３  入口センサ（検知部）
４４  終端センサ
４９  筐体
５０  分離部
５１  搬送ベルト
５４  ローラ
６０  モータ
７０  矯正部
７２  矯正ローラ
９０  収納部
９２  スプリング
９４  受板
９６  プレス板
９８  モータ
１００  制御部
１０１、１０２  通信線
１０３  表示装置
【図１】
2020100452.tif 000003
【図２】
2020100452.tif 000004
【図３】
2020100452.tif 000005
【図４】
2020100452.tif 000006
【図５】
2020100452.tif 000007
【図６】
2020100452.tif 000008
【図７】
2020100452.tif 000009
【図８】
2020100452.tif 000010
【図９】
2020100452.tif 000011